(57)【要約】【課題】表示面を有する両軸受リールにおいて、表示面の視認性を向上させる。【解決手段】リール本体１の前部上面には、カウンター部４が固定されている。カウンター部４には、仕掛けの水深や棚位置を水面からと底からとの２つの基準で表示する表示面５ａを有する表示部５と、表示部５の側部に並べて配置されたスイッチ操作部６とが設けられている。カウンター部４の表示面５ａは、回転軸５０に沿った方向でハンドル部２の装着側（右側）がそれと逆側（左側）よりハンドル部２の回転軸５０に接近するように傾斜している。【選択図】　　　図２
2004089025.tif 000002
【特許請求の範囲】
【請求項１】
釣竿に着脱自在に装着され、前方に釣り糸を繰り出す両軸受リールのリール本体であって、
前記釣竿に装着するための釣竿装着面が形成される竿取付脚部と、
前記竿取付脚部の前記釣竿装着面の裏側に相当する面上に設けられる本体部材と、
前記釣竿の中心軸にくい違う軸回りに回転自在に前記本体部材に装着されるハンドル部と、
前記ハンドル部の回転軸と平行なスプール軸回りに回転自在に前記本体部材に装着されるスプールと、
前記本体部材の上部に取り付けられ、前記ハンドル部装着側がそれと逆側より前記ハンドル部の回転軸に接近するように第１傾斜角度をもって傾斜する表示面を有するカウンター部と、
を備える両軸受リールのリール本体。
【請求項２】
前記第１傾斜角度は１０度以上３０度以下の範囲である、
請求項１に記載の両軸受リールのリール本体。
【請求項３】
前記カウンター部は、前方側が後方側と比較し前記竿取付脚部からより離反するように第２傾斜角度をもって傾斜している、
請求項１又は２に記載の両軸受リールのリール本体。
【請求項４】
前記第２傾斜角度は２０度以上４５度以下の範囲である、
請求項３に記載の両軸受リールのリール本体。
【請求項５】
前記カウンター部は、前記スプールの中心軸より前方に配置されている、
請求項１から４のいずれかに記載の両軸受リールのリール本体。
【請求項６】
前記竿取付脚部は、前記本体部材の前記第２傾斜角度を変更可能な取付部材を有する、
請求項１から５のいずれかに記載の両軸受リールのリール本体。
【発明の詳細な説明】
【０００１】
【発明の属する技術分野】
本発明は、リール本体、特に、釣竿に着脱自在に装着され、前方に釣り糸を繰り出す両軸受リールのリール本体に関する。
【０００２】
【従来の技術】
一般に、両軸受リールは、釣竿に取り付けられるリール本体と、リール本体に装着されたスプールと、スプールを回転させるハンドルとを備えている。リール本体は、本体部材と、本体部材の下部に設けられ釣竿に取り付けるための竿取付脚部と、本体部材の上部に設けられ竿取付脚部と略平行になるように配置されたカウンター部とを有している。カウンター部の上面には、水深等の各種の情報を表示する表示面が設けられている。表示面は、たとえばセグメント方式の液晶ディスプレイであり、棚位置や現在の仕掛けの水深等を表示することができる。
【０００３】
【発明が解決しようとする課題】
従来の表示部を有する両軸受リールでは、カウンター部の上面が竿取付脚部と略平行になるように配置されているので、表示面も竿取付脚部及び釣竿と略平行になるように配置される。このため、両軸受リールを釣竿に装着したタックルを体の前方で支持した状態だけでなく、ハンドル部の装着方向に応じて左側または右側に挟んだ状態でハンドル部の操作を行う場合、タックルの支持の仕方によっては、表示面が反射したり視野角から外れたりして、表示面の視認性が低下するおそれが生じる。また、タックルを体の左側または右側に挟んだ状態でハンドル部の操作を行う場合、表示面の視認性を向上させようと表示面の角度を調節すると、ハンドル部の回転軸が傾斜してハンドルの操作性が低下するおそれがある。
【０００４】
本発明の課題は、表示面を有する両軸受リールにおいて、表示面の視認性とハンドルの操作性とをともに向上させることにある。
【０００５】
【課題を解決するための手段】
発明１に係る両軸受リールのリール本体は、釣竿に着脱自在に装着され、前方に釣り糸を繰り出す両軸受リールのリール本体であって、竿取付脚部と、本体部材と、ハンドル部と、スプールと、カウンター部とを備えている。竿取付脚部は、釣竿装着面において釣竿に装着されている。本体部材は、竿取付脚部の釣竿装着面の裏側に相当する面上に設けられている。ハンドル部は、釣竿の中心軸にくい違う軸回りに回転自在に本体部材に装着されている。スプールは、ハンドル部の回転軸と平行なスプール軸回りに回転自在に本体部材に配置されている。カウンター部は、本体部材の上部に取り付けられ、ハンドル部装着側がそれと逆側よりハンドル部の回転軸に接近するように傾斜する表示面を備えている。
【０００６】
この両軸受リールのリール本体では、リール本来の機能は確保された状態で、ハンドル部装着側がそれと逆側よりハンドル部の回転軸に接近するように、カウンター部の表示面を傾斜させている。
ここでは、カウンター部の表示面をハンドル部装着側に向けて傾斜させているので、両軸受リールを釣竿に装着したタックルを、体の前方で支持した状態だけでなく、ハンドル部の装着方向に応じて左側または右側に挟んだ状態で釣りを行っても、表示面の反射が避けやすく、表示面は視野角から外れにくい。また、タックルをハンドル部の装着方向に応じて左側または右側に挟んだ状態では、表示面の角度を調節する必要がないためハンドル部の回転軸が略水平に保たれ、ハンドルの操作がしやすくなる。したがって、表示面の視認性とハンドルの操作性とをともに向上させることができる。
【０００７】
発明２に係る両軸受リールのリール本体は、発明１のリール本体において、表示面とハンドル部の回転軸とのなす角度である第１傾斜角度が１０度以上３０度以下の範囲である。
ここでは、表示面とハンドル部の回転軸とのなす第１傾斜角度が１０度以上３０度以下の範囲にあるので、タックルを体の側面に挟んだ状態で釣りを行うような場合、表示面に対して反射の防止と最適な視野角の確保とができ、表示部の視認性をより向上できる。なお、第１傾斜角度を１０度未満にすると表示面からの反射が大きくなり、３０度を超えると状況によっては十分な視野角の確保が困難となる。
【０００８】
発明３に係る両軸受リールのリール本体は、発明１又は２のリール本体において、カウンター部の前方側が後方側と比較して竿取付脚部からより離反するように傾斜している。
ここでは、カウンター部の前方側が後方側より竿取付脚部から離反するように傾斜しているので、タックルを体の前方で支持した状態で釣りを行っても、表示面からの反射や視野角からの表示面のズレといった影響を受けにくくなり、表示面の視認性を向上できる。
【０００９】
発明４に係る両軸受リールのリール本体は、発明３のリール本体において、表示面と竿取付脚部とのなす角度である第２傾斜角度が２０度以上４５度以下の範囲である。
ここでは、表示面と竿取付脚部とのなす第２傾斜角度が２０度以上４５度以下の範囲にあるので、タックルを体の前方で支持して釣りを行うような場合、表示面の反射を効果的に防止できるだけでなく、表示面に対する最適な視野角が確保でき、表示部の視認性をより向上できる。なお、第２傾斜角度を２０度未満にすると表示面からの反射が大きくなり、４５度を超えると状況によっては十分な視野角の確保が困難となる。
【００１０】
発明５に係る両軸受リールのリール本体は、発明１から４のいずれかのリール本体において、カウンター部が、スプールの中心軸より前方に配置されている。
ここでは、カウンター部がスプールの中心軸より前方、すなわち、本体部材の前部に配置されているので、表示部の視認性がより向上される。また、釣り糸の繰り出し状況を確認しながら、表示面の表示内容を把握することができる。
【００１１】
発明６に係る両軸受リールのリール本体は、発明１から５のいずれかのリール本体において、竿取付脚部が、本体部材の第２傾斜角度を変更可能な取付部材を有している。
ここでは、竿取付脚部が本体部材の第２傾斜角度を変更可能な取付部材を有しているので、竿取付脚部を固定した状態で本体部材を揺動させると表示面の第２傾斜角度が任意の角度に変更でき、視野角から外れないように表示面のズレを適切に調節できる。
【００１２】
【発明の実施の形態】
〔カウンターリールの構成〕
図１に、本発明の実施形態による表示面を有する両軸受リールを示す。
表示面を有する両軸受リールのリール本体は、釣竿に竿取付脚部９を介して装着される本体部材１と、本体部材１の前部上面に取り付けられたカウンター部４と、本体部材１の側方に配置されたスプール回転用のハンドル部２と、本体部材１に回転自在に装着されたスプール１０とを備えている。
【００１３】
本体部材１は、左右１対の第１側板７ａ及び第２側板７ｂと両側板７ａ，７ｂを互いに連結する図示しない複数の連結部とによって構成されたフレーム７と、フレーム７の左右をそれぞれ覆う左右の第１側カバー８ａ及び第２側カバー８ｂとを有している。なお、第２側板７ｂには、クラッチ操作レバー１４が取り付けられており、このクラッチ操作レバー１４をＯＮ又はＯＦＦにすると、ハンドル部２からスプール１０への回転力の伝達を有効又は無効に切り替えることができる。
【００１４】
本体部材１の下部には、前後方向に伸びた釣竿装着面９ａが形成された竿取付脚部９が装着されている。釣竿装着面９ａには釣竿が装着されている。
カウンター部４は、仕掛けの水深や棚位置を水面からと底からとの２つの基準で表示する表示面５ａを有する表示部５と、表示部５の側部に並べて配置されたスイッチ操作部６とが設けられている。
【００１５】
カウンター部４は、図２に示すように、回転軸５０に沿った方向でハンドル部２の装着側（右側）がそれと逆側（左側）よりハンドル部２の回転軸５０に接近するようにカウンター部４の表示面５ａが傾斜し、表示面５ａとハンドル部２の回転軸５０とのなす第１傾斜角度αが１０度以上３０度以下の範囲になるように配置されている。
【００１６】
カウンター部４では、第１傾斜角度αの確保された状態で、図３に示すように、前方側が上方になるように傾斜している。このとき、釣竿装着面９ａと表示面５ａとのなす角度である第２傾斜角度βは、２０度以上４５度以下の範囲になるように設定されている。
カウンター部４の内部には制御部３０（図４参照）が取り付けられており、制御部３０は表示部５およびスイッチ操作部６に接続されている。制御部３０は、ＣＰＵ、ＲＡＭ、ＲＯＭ、Ｉ／Ｏインターフェイス等を含むマイクロコンピュータを備えおり、制御プログラムに従って表示制御や電源管理等の制御が行われている。なお、制御部３０には、図４に示すように、表示部５と、スイッチ操作部６と、各種情報を記憶するＥＥＰＲＯＭ等の不揮発メモリからなる記憶部３３と、制御部３０及び表示部５に電力を供給するためのコンデンサからなる蓄電池３４と、他の入出力部とが接続されている。
【００１７】
〔カウンターリールの動作とカウンター機能〕
以上のように、ハンドル部２が本体部材１の右側に装着されている両軸受リールを使用する場合、両軸受リールが釣竿に装着されたタックルの竿尻を左脇に挟み、クラッチ操作レバー１４をＯＮにしてハンドル部２からスプール１０への回転力の伝達を有効にした状態でハンドル部２を操作すると、ハンドル部４の回転に応じてスプール１０が回転し、釣り糸が巻き取られる。また、クラッチ操作レバー１４をＯＦＦにしてハンドル部２からスプール１０への回転力の伝達を無効にすると、スプール１０がハンドル部４とは独立に回転可能となり、釣り糸に取り付けられた仕掛けの重みによって釣り糸は前方に繰り出される。このとき、制御部３０では、釣り糸の巻き取り時・繰り出し時ともに、スプール１０の回転数から棚位置や現在の仕掛けの水深等が計測される。また、計測結果が、記憶部３３に保存されつつ、表示面５ａに表示される。
【００１８】
このような両軸受リールのカウンター機能により求められた計測結果をより効果的に認識・判断するためには、表示面５ａに表示された内容を即座に確認できるように、表示面５ａに対する視認性を向上させることが有効である。このとき、本実施形態の両軸受リールでは、カウンター部４の左側が上方になるように表示面５ａが左から右へと傾斜しているので、タックルの竿尻を左脇に挟んだ状態で表示面５ａの表示内容を確認するような場合、表示面５ａの反射を避けやすく、かつ表示面５ａが視野角から外れにくくなり、表示面５ａの視認性を向上できる。また、第１傾斜角度αが１０度以上３０度以下の範囲に設定されていることで、表示面５ａの表示内容をより明確に確認することができる。さらに、カウンター部４では前方側が上方になるように表示面５ａが前から後へと傾斜し、このときの傾斜角度である第２傾斜角度βが２０度以上４５度以下の範囲になるように配置されているので、タックルの竿尻を左脇に挟んだ状態でリール本体を操作したときにタックル自体の前後移動が生じても、十分な視認性を確保できる。
【００１９】
上記のように、表示面５ａでは十分な視認性を確保できるので、表示面５ａが見やすくなるようにタックルを動かす必要がなくなる。このため、タックルの竿尻を左脇に挟んで、表示面５ａを見ながらハンドルの操作を行うような場合でも、ハンドル部２の回転軸は略水平に保たれ、ハンドルの操作性を向上することができる。
【００２０】
〔他の実施形態〕
（ａ）前記実施形態では、両軸受リールのリール本体の例として、手巻きカウンタリールを用いた説明を行ったが、リール本体は前記実施形態に限定されず、表示面を有する両軸受リールであれば、リール本体はどのようなものでも良い。（ｂ）前記実施形態では、カウンター部４の本体部材１への設置例として、カウンター部４が本体部材１に固定された状態を示しているが、カウンター部４の設置方法は前記実施形態に限定されず、カウンター部４の表示面５ａに対する視認性を向上できる傾斜角度を確保できれば、カウンター部４はどのようにリール本体１に設置されても良い。
【００２１】
（ｃ）竿取付脚部９は、図５に示すように、リール本体の傾斜角度γを変更できる機構を有していても良い。この場合、竿取付脚部９を釣竿に固定した状態で、竿取付脚部９に設けられた傾斜角調節機構９ｂによって本体部材の傾斜角度γが変更され、表示面５ａに対する最適な傾斜角度を設定することができる。この実施形態では、傾斜角度γが０度のとき、表示面５ａの第１傾斜角度αおよび第２傾斜角度βも０度となるような場合を示しているが、第１および第２傾斜角度α，βは０度であることに限定されず、第１および第２傾斜角度α，βが角度を有した状態で、傾斜角度調節機構９ｂを用いて最適な傾斜角度を確保しても良い。
【００２２】
【発明の効果】
本発明によれば、表示面を有する両軸受リールにおいて、カウンター部の表示面をハンドル部の装着側に向けて傾斜させているので、表示面の視認性とハンドルの操作性とをともに向上させることができる。
【図面の簡単な説明】
【図１】本発明の一実施形態による両軸受リールの斜視図。
【図２】前記両軸受リールの後部から見た図。
【図３】前記両軸受リールの側面図。
【図４】制御部の構成を示すブロック図。
【図５】本発明の他の実施形態による前記実施形態の図３に相当する図。
【符号の説明】
１　本体部材
４　カウンター部
５　表示部
５ａ　表示面
６　スイッチ操作部
７　フレーム
９　竿取付脚部
９ａ　釣竿装着面
【図１】
2004089025.tif 000003
【図２】
2004089025.tif 000004
【図３】
2004089025.tif 000005
【図４】
2004089025.tif 000006
【図５】
2004089025.tif 000007